(57)【要約】  ワイヤレス通信のための方法、装置、およびコンピュータプログラム製品が提供される。装置は、チャネルのサブチャネルのセットにおいて１つまたは複数のＤ２Ｄブロードキャストを受信する。加えて、装置は、チャネルの少なくとも１つのサブチャネルにおいて、サブチャネルのセットのサブセットを示す情報をブロードキャストする。１つまたは複数のＤ２Ｄブロードキャストは、制御情報を含むブロードキャストの第１のセットと、データトラフィックを含むブロードキャストの第２のセットと、を含み得る。ブロードキャストされる情報は、制御情報であり得る。装置は、サブチャネルのセットにおいて受信された１つまたは複数のＤ２Ｄブロードキャストの各々の信号強度を決定し得る。ブロードキャストされる情報は、サブチャネルのセットのサブセットにおける各サブチャネルごとに決定された信号強度をさらに含み得る。
2016538795.tif 000002
【特許請求の範囲】
【請求項１】
ワイヤレス通信の方法であって、
チャネルのサブチャネルのセットにおいて１つまたは複数のデバイス対デバイス（Ｄ２Ｄ）ブロードキャストを受信することと、および
サブチャネルの前記セットのサブセットを示す情報を、前記チャネルの少なくとも１つのサブチャネルにおいてブロードキャストすることと、
を備える方法。
【請求項２】
前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、請求項１に記載の方法。
【請求項３】
サブチャネルの前記セットの前記サブセットは、サブチャネルの前記セットにおける前記サブチャネルのすべてを含む、請求項１に記載の方法。
【請求項４】
サブチャネルの前記セットにおいて受信された前記１つまたは複数のＤ２Ｄブロードキャストの各々の信号強度を決定することをさらに備え、ここにおいて、前記ブロードキャストされる情報は、サブチャネルの前記セットの前記サブセットにおける各サブチャネルごとに前記決定された信号強度をさらに含む、請求項１に記載の方法。
【請求項５】
報告すべきサブチャネルの最大数Ｎmaxを決定することと、および
前記決定された信号強度によって、サブチャネルの前記セットにおける各サブチャネルをランク付けすることと、
をさらに備え、
ここにおいて、サブチャネルの前記セットの前記サブセットは、上位Ｎ位にランク付けされたサブチャネルを含み、Ｎは前記最大数Ｎmaxよりも小さいかまたはそれに等しい、
請求項４に記載の方法。
【請求項６】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定することと、
サブチャネルの前記セットとサブチャネルの前記第２のセットとを除く、前記チャネルのサブチャネルの第３のセットを決定することと、および
サブチャネルの前記第３のセットから、前記少なくとも１つのサブチャネルを選択することと、
をさらに備える、請求項４に記載の方法。
【請求項７】
前記少なくとも１つのサブチャネルは、サブチャネルの前記第３のセットからランダムに選択される、請求項６に記載の方法。
【請求項８】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定することと、
第１のしきい値よりも小さい対応する信号強度を有するサブチャネルの前記セットうちのサブチャネルの第１のサブセットを決定することと、
第２のしきい値よりも小さい対応する信号強度を有するサブチャネルの前記第２のセットのうちのサブチャネルの第２のサブセットを決定することと、および
サブチャネルの前記第１のサブセットおよびサブチャネルの前記第２のサブセットから、前記少なくとも１つのサブチャネルを選択することと、
をさらに備える、請求項４に記載の方法。
【請求項９】
前記少なくとも１つのサブチャネルは、サブチャネルの前記決定された第１および第２のサブセットからランダムに選択される、請求項８に記載の方法。
【請求項１０】
前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、請求項２に記載の方法。
【請求項１１】
ｎは、１に等しい、請求項１０に記載の方法。
【請求項１２】
ｎは、２よりも大きいかまたはそれに等しい、請求項１０に記載の方法。
【請求項１３】
制御情報を備える前記ブロードキャストは、データトラフィックを備えるブロードキャストよりも低い変調およびコーティング方式（ＭＣＳ）を有する、請求項２に記載の方法。
【請求項１４】
ワイヤレス通信のための装置であって、
チャネルのサブチャネルのセットにおいて１つまたは複数のデバイス対デバイス（Ｄ２Ｄ）ブロードキャストを受信するための手段と、および
サブチャネルの前記セットのサブセットを示す情報を、前記チャネルの少なくとも１つのサブチャネルにおいてブロードキャストするための手段と、
を備える装置。
【請求項１５】
前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、請求項１４に記載の装置。
【請求項１６】
サブチャネルの前記セットの前記サブセットは、サブチャネルの前記セットにおける前記サブチャネルのすべてを含む、請求項１４に記載の装置。
【請求項１７】
サブチャネルの前記セットにおいて受信された前記１つまたは複数のＤ２Ｄブロードキャストの各々の信号強度を決定するための手段をさらに備え、ここにおいて、前記ブロードキャストされる情報は、サブチャネルの前記セットの前記サブセットにおける各サブチャネルごとに前記決定された信号強度をさらに含む、請求項１４に記載の装置。
【請求項１８】
報告すべきサブチャネルの最大数Ｎmaxを決定するための手段と、および
前記決定された信号強度によって、サブチャネルの前記セットにおける各サブチャネルをランク付けするための手段と、
をさらに備え、
ここにおいて、サブチャネルの前記セットの前記サブセットは、上位Ｎ位にランク付けされたサブチャネルを含み、Ｎは前記最大数Ｎmaxよりも小さいかまたはそれに等しい、
請求項１７に記載の装置。
【請求項１９】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定するための手段と、
サブチャネルの前記セットとサブチャネルの前記第２のセットとを除く、前記チャネルのサブチャネルの第３のセットを決定するための手段と、および
サブチャネルの前記第３のセットから前記少なくとも１つのサブチャネルを選択するための手段と、
をさらに備える、請求項１７に記載の装置。
【請求項２０】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定するための手段と、
第１のしきい値よりも小さい対応する信号強度を有するサブチャネルの前記セットうちのサブチャネルの第１のサブセットを決定するための手段と、
第２のしきい値よりも小さい対応する信号強度を有するサブチャネルの前記第２のセットのうちのサブチャネルの第２のサブセットを決定するための手段と、および
サブチャネルの前記第１のサブセットおよびサブチャネルの前記第２のサブセットから、前記少なくとも１つのサブチャネルを選択するための手段と、
をさらに備える、請求項１７に記載の装置。
【請求項２１】
前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、請求項１５に記載の装置。
【請求項２２】
ワイヤレス通信のための装置であって、
メモリと、および
前記メモリに結合された少なくとも１つのプロセッサであって、
チャネルのサブチャネルのセットにおいて１つまたは複数のデバイス対デバイス（Ｄ２Ｄ）ブロードキャストを受信し、および
サブチャネルの前記セットのサブセットを示す情報を、前記チャネルの少なくとも１つのサブチャネルにおいてブロードキャストする、
ように構成されたプロセッサと、
を備える装置。
【請求項２３】
前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、請求項２２に記載の装置。
【請求項２４】
サブチャネルの前記セットの前記サブセットは、サブチャネルの前記セットにおける前記サブチャネルのすべてを含む、請求項２２に記載の装置。
【請求項２５】
前記少なくとも１つのプロセッサは、サブチャネルの前記セットにおいて受信された前記１つまたは複数のＤ２Ｄブロードキャストの各々の信号強度を決定するようにさらに構成され、ここにおいて、前記ブロードキャストされる情報は、サブチャネルの前記セットの前記サブセットにおける各サブチャネルごとに前記決定された信号強度をさらに含む、請求項２２に記載の装置。
【請求項２６】
前記少なくとも１つのプロセッサは、
報告すべきサブチャネルの最大数Ｎmaxを決定し、および
前記決定された信号強度によって、サブチャネルの前記セットにおける各サブチャネルをランク付けする、
ようにさらに構成され、
ここにおいて、サブチャネルの前記セットの前記サブセットは、上位Ｎ位にランク付けされたサブチャネルを含み、Ｎは前記最大数Ｎmaxよりも小さいかまたはそれに等しい、
請求項２５に記載の装置。
【請求項２７】
前記少なくとも１つのプロセッサは、
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定し、
サブチャネルの前記セットとサブチャネルの前記第２のセットとを除く、前記チャネルのサブチャネルの第３のセットを決定し、および
サブチャネルの前記第３のセットから、前記少なくとも１つのサブチャネルを選択する、
ようにさらに構成される、
請求項２５に記載の装置。
【請求項２８】
前記少なくとも１つのプロセッサは、
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定し、
第１のしきい値よりも小さい対応する信号強度を有するサブチャネルの前記セットうちのサブチャネルの第１のサブセットを決定し、
第２のしきい値よりも小さい対応する信号強度を有するサブチャネルの前記第２のセットうちのサブチャネルの第２のサブセットを決定し、および
サブチャネルの前記第１のサブセットおよびサブチャネルの前記第２のサブセットから、前記少なくとも１つのサブチャネルを選択する、
ようにさらに構成される、
請求項２５に記載の装置。
【請求項２９】
前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、請求項２３に記載の装置。
【請求項３０】
コンピュータ可読媒体に記憶されたコンピュータプログラム製品であって、少なくとも１つのプロセッサ上で実行されたとき、前記少なくとも１つのプロセッサが、
チャネルのサブチャネルのセットにおいて１つまたは複数のデバイス対デバイス（Ｄ２Ｄ）ブロードキャストを受信し、および
サブチャネルの前記セットのサブセットを示す情報を、前記チャネルの少なくとも１つのサブチャネルにおいてブロードキャストする、
ことを引き起こすコードを備える、
コンピュータプログラム製品。
【発明の詳細な説明】
【技術分野】
【０００１】
関連出願の相互参照
[0001]本出願は、２０１３年９月２４日に出願された「ＣＯＮＴＲＯＬ  ＳＩＧＮＡＬＩＮＧ  ＦＯＲ  ＥＮＡＢＬＩＮＧ  ＴＷＯ−ＨＯＰ  ＯＲＴＨＯＧＯＮＡＬＩＺＡＴＩＯＮ  ＦＯＲ  ＤＥＶＩＣＥ−ＴＯ−ＤＥＶＩＣＥ  ＢＲＯＡＤＣＡＳＴＳ」と題する米国仮出願第６１／８８１，９００号、および２０１４年７月２２日に出願された「ＣＯＮＴＲＯＬ  ＳＩＧＮＡＬＩＮＧ  ＦＯＲ  ＥＮＡＢＬＩＮＧ  ＴＷＯ−ＨＯＰ  ＯＲＴＨＯＧＯＮＡＬＩＺＡＴＩＯＮ  ＦＯＲ  ＤＥＶＩＣＥ−ＴＯ−ＤＥＶＩＣＥ  ＢＲＯＡＤＣＡＳＴＳ」と題する米国非仮出願第１４／３３７，９０１号の利益を主張し、ここで、それらはその全体が参照により本明細書に明確に組み込まれる。
【０００２】
[0002]本開示は、一般に、通信システムに関し、より詳細には、デバイス対デバイス（Ｄ２Ｄ）ブロードキャスト通信用の２ホップ直交化を可能にするための制御シグナリングに関する。
【背景技術】
【０００３】
[0003]ワイヤレスデバイスは、Ｄ２Ｄブロードキャストリソースを選択し、その選択されたＤ２Ｄブロードキャストリソース上でＤ２Ｄブロードキャスト通信を送り得る。方法および装置が、Ｄ２Ｄブロードキャストリソース上における干渉を低減するために必要とされている。
【発明の概要】
【０００４】
[0004]本開示の一態様では、方法、コンピュータプログラム製品、および装置が提供される。装置は、チャネルのサブチャネルのセットにおいて、１つまたは複数のＤ２Ｄブロードキャストを受信し、サブチャネルのセットのサブセットを示す情報を、そのチャネルの少なくとも１つのサブチャネルにおいてブロードキャストする。その１つまたは複数のＤ２Ｄブロードキャストは、制御情報を含むブロードキャストの第１のセットと、データトラフィックを含むブロードキャストの第２のセットと、を含み得る。ブロードキャストされる情報は、制御情報であり得る。装置は、サブチャネルのセットにおいて受信された１つまたは複数のＤ２Ｄブロードキャストの各々の信号強度を決定し得る。ブロードキャストされる情報は、サブチャネルのセットのサブセットにおける各サブチャネルごとの、決定された信号強度をさらに含み得る。
【図面の簡単な説明】
【０００５】
【図１】[0005]図１は、Ｄ２Ｄ通信システムの図である。
【図２】[0006]図２は、Ｄ２Ｄブロードキャスト用の２ホップ直交化を可能にするための制御シグナリングの例示的な方法を示す図である。
【図３】[0007]図３は、サブフレーム構造を示す図である。
【図４】[0008]図４は、Ｄ２Ｄブロードキャスト用のリソースのセットを示す第１の図である。
【図５】[0009]図５は、Ｄ２Ｄブロードキャスト用のリソースのセットを示す第２の図である。
【図６】[0010]図６は、ワイヤレス通信の第１の方法のフローチャートである。
【図７】[0011]図７は、ワイヤレス通信の第２の方法のフローチャートである。
【図８】[0012]図８は、ワイヤレス通信の第３の方法のフローチャートである。
【図９】[0013]図９は、例示的な装置における異なるモジュール／手段／構成要素間のデータフローを示す概念データフロー図である。
【図１０】[0014]図１０は、処理システムを用いる装置のためのハードウェア実装の一例を示す図である。
【発明を実施するための形態】
【０００６】
[0015]添付の図面に関して以下に記載する発明を実施するための形態は、様々な構成の説明として意図されているものであり、本明細書で説明する概念が実施され得る構成のみを表すことを意図しているものではない。発明を実施するための形態は、様々な概念の完全な理解をもたらす目的で、具体的な詳細を含んでいる。しかしながら、これらの概念はこれらの具体的な詳細なしに実施され得ることが、当業者には明らかであろう。いくつかの例では、よく知られている構造および構成要素は、そのような概念を曖昧にするのを回避するために、ブロック図の形態で示される。
【０００７】
[0016]遠隔通信システムのいくつかの態様が今、様々な装置および方法に関して提示されるだろう。これらの装置および方法は、以下の発明を実施するための形態において説明されるであろうし、様々なブロック、モジュール、構成要素、回路、ステップ、プロセス、アルゴリズム、要素、等々（まとめて「要素」と称する）によって添付の図面に示され得る。これらの要素は、電子ハードウェア、コンピュータソフトウェア、またはそれらの任意の組合せを使用して実装され得る。そのような要素がハードウェアとして実装されるか、ソフトウェアとして実装されるかは、特定のアプリケーションおよび全体的なシステムに課される設計制約に依存する。
【０００８】
[0017]例として、要素、または要素の任意の部分、または要素の任意の組合せは、１つまたは複数のプロセッサとともに実装され得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアを含む。１つまたは複数のプロセッサがソフトウェアを実行し得る。ソフトウェアは、ソフトウェア、ファームウェア、ミドルウェア、マイクロコード、ハードウェア記述言語または他の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等々を意味すると広く解釈されたい。
【０００９】
[0018]したがって、１つまたは複数の例示的な実施形態では、記載される機能は、ハードウェア、ソフトウェア、ファームウェア、またはそれらの任意の組合せに実装され得る。ソフトウェアで実装される場合、機能は、コンピュータ可読媒体上に記憶されるか、あるいはコンピュータ可読媒体上に１つもしくは複数の命令またはコードとして符号化され得る。コンピュータ可読媒体は、コンピュータ記憶媒体を含む。記憶媒体は、コンピュータによってアクセスされることができる任意の利用可能な媒体であり得る。限定ではなく、例として、そのようなコンピュータ可読媒体は、ランダムアクセスメモリ（ＲＡＭ）、読取り専用メモリ（ＲＯＭ）、電子的消去可能プログラマブルＲＯＭ（ＥＥＰＲＯＭ（登録商標））、コンパクトディスク（ＣＤ）ＲＯＭ（ＣＤ−ＲＯＭ）または他の光ディスクストレージ、磁気ディスクストレージまたは他の磁気ストレージデバイス、あるいは命令またはデータ構造の形態の所望のプログラムコードを搬送または記憶するために使用されることができ且つコンピュータによってアクセスされることができる任意の他の媒体を備えることができる。本明細書で使用されるディスク（disk）およびディスク（disc）、ＣＤ、レーザーディスク（登録商標）（disc）、光ディスク（disc）、デジタル多用途ディスク（disc）（ＤＶＤ）、フロッピー（登録商標）ディスク（disk）を含み、ディスク（disk）は、通常、データを磁気的に再生し、ディスク（disc）は、データをレーザで光学的に再生する。上記の組合せも、コンピュータ可読媒体の範囲内に含まれるものとする。
【００１０】
[0019]図１は、Ｄ２Ｄ通信システムの図１００である。（ピアツーピア（Ｐ２Ｐ）とも呼ばれる）Ｄ２Ｄ通信システムは、複数のワイヤレスデバイス１０４、１０６、１０８、１１０、１１２を含む。Ｄ２Ｄ通信システムは、たとえば、ワイヤレスワイドエリアネットワーク（ＷＷＡＮ）などのセルラー通信システムと重なり得る。ワイヤレスデバイス１０４、１０６、１０８、１１０、１１２の一部は、ＤＬ／ＵＬ  ＷＷＡＮスペクトルを使用してＤ２Ｄ通信において互いに通信し得、一部は基地局１０２と通信し得、一部は両方を行い得る。たとえば、図１に示すように、ワイヤレスデバイス１１０は、ワイヤレスデバイス１０８、１１２とＤ２Ｄブロードキャスト通信中であり、ワイヤレスデバイス１０４、１０６はＤ２Ｄ通信中である。ワイヤレスデバイス１０４、１０６は基地局１０２とも通信し得る。
【００１１】
[0020]基地局１０２はまた、ノードＢ、発展型ノードＢ（ｅＮＢ）、アクセスポイント、基地トランシーバ局、無線基地局、無線トランシーバ、トランシーバ機能、基本サービスセット（ＢＳＳ：basic service set）、拡張サービスセット（ＥＳＳ：extended service set）、または何らかの他の好適な用語で呼ばれ得る。ワイヤレスデバイスの例は、セルラーフォン、スマートフォン、セッション開始プロトコル（ＳＩＰ）フォン、ラップトップ、携帯情報端末（ＰＤＡ）、衛星ラジオ、全地球測位システム、マルチメディアデバイス、ビデオデバイス、デジタルオーディオプレーヤ（たとえば、ＭＰ３プレーヤ）、カメラ、ゲーム機、タブレット、または任意の他の同様の機能デバイスを含む。ワイヤレスデバイスはまた、当業者によって、ユーザ機器（ＵＥ）、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語で呼ばれ得る。
【００１２】
[0021]以下で説明する例示的な方法および装置は、たとえば、ＦｌａｓｈＬｉｎＱ、ＷｉＭｅｄｉａ、Ｂｌｕｅｔｏｏｔｈ（登録商標）、ＺｉｇＢｅｅ（登録商標）、ＩＥＥＥ８０２．１１規格に基づくＷｉ−Ｆｉ（登録商標）、またはロングタームエボリューション（ＬＴＥ（登録商標））、に基づくワイヤレスＤ２Ｄ通信システムなど、様々なワイヤレスＤ２Ｄ通信システムのいずれにも適用可能である。ただし、例示的な方法および装置は、様々な他のワイヤレスＤ２Ｄ通信システムに、より一般的に適用可能であることを当業者は理解されよう。
【００１３】
[0022]ＵＥは、Ｄ２Ｄブロードキャストリソースを選択し、その選択されたＤ２Ｄブロードキャストリソース上でＤ２Ｄブロードキャスト通信を送り得る。Ｄ２Ｄブロードキャスト用の２ホップ直交化を可能にするための制御シグナリングの方法および装置は、以下に提示される。Ｄ２Ｄブロードキャスト用の２ホップ直交化は、Ｄ２Ｄブロードキャストのために利用されるＤ２Ｄブロードキャストリソース上での干渉を低減する。
【００１４】
[0023]図２は、Ｄ２Ｄブロードキャスト用の２ホップ直交化を可能にするための制御シグナリングの方法を示す図２００である。図２に示すように、ＵＥ２０２は、ＵＥ２０４からＤ２Ｄブロードキャスト２４０、２５０を、そしてＵＥ２０６からＤ２Ｄブロードキャスト２６０を受信する。Ｄ２Ｄブロードキャスト２４０は、データトラフィック（たとえば、音声、ビデオ、および／または他のデータ）を含み、Ｄ２Ｄブロードキャスト２５０、２６０は、制御情報（制御シグナリングとも呼ばれる）を含む。Ｄ２Ｄブロードキャストの一部は、データトラフィックと制御情報の両方を含み得る。ＵＥ２０２は、チャネル２７８のサブチャネル３、６のセットにおいてＤ２Ｄブロードキャスト２４０、２５０、２６０を受信する。具体的に言うと、ＵＥ２０２は、制御シグナリングサブフレーム２８０内のサブチャネル３においてＤ２Ｄブロードキャスト２５０を、制御シグナリングサブフレーム２８０内のサブチャネル６においてＤ２Ｄブロードキャスト２６０を、そしてデータトラフィックサブフレーム２８２内のサブチャネル３においてＤ２Ｄブロードキャスト２４０を受信する。一般に、チャネル２７８の帯域幅はＸ  ＭＨｚであり得、チャネル２７８内の各サブチャネルは１８０ｋＨｚにわたり得る。一例では、チャネル２７８は、１０ＭＨｚの帯域幅を有し、少なくとも５０のサブチャネルを含む。ＵＥ２０２がＤ２Ｄブロードキャストを受信した後、ＵＥ２０２は、チャネル２７８の少なくとも１つのサブチャネルにおいて、Ｄ２Ｄブロードキャスト２４０、２５０、２６０が受信されたサブチャネルのセットのサブセットを指示／報告する制御情報２７２をブロードキャスト２７０で送信する。たとえば、ＵＥ２０２は、制御シグナリングサブフレーム２８４のサブチャネル４内のリソース２８６において、制御情報２７２をブロードキャストし得る。制御情報２７２は、ＵＥ２０２がＤ２Ｄブロードキャスト２４０、２５０、２６０を受信したサブチャネル３および／またはサブチャネル６を指示／報告する情報を含み得る。
【００１５】
[0024]一構成では、ＵＥ２０２は、ＵＥ２０２がＤ２Ｄブロードキャストを受信したサブチャネルのすべてを報告する情報を含むように、制御情報２７２を構成し得る。たとえば、ＵＥ２０２は、サブチャネル３とサブチャネル６の両方を報告する情報を含むように、制御情報２７２を構成し得る。別の構成では、ＵＥ２０２は、報告すべきサブチャネルの数を制限し得、また最大の信号強度を持つサブチャネルを報告し得る。この構成では、ＵＥ２０２は、サブチャネル３、６のセットにおいて受信されたＤ２Ｄブロードキャスト２４０、２５０、２６０の各々の信号強度を決定する。ＵＥ２０２は、報告すべきサブチャネルの最大数Ｎmaxを決定し、その決定された信号強度によってサブチャネル３、６のセットにおける各サブチャネルをランク付けする。ＵＥ２０２は、Ｎ≦Ｎmaxとして、上位Ｎ位にランク付けされたサブチャネルを報告し得る。たとえば、Ｎ＝Ｎmax＝１と仮定する。ＵＥ２０２は、サブチャネル６において受信されたブロードキャスト２６０がサブチャネル３において受信されたブロードキャスト２４０、２５０よりも高い信号強度を有すると決定し得る。ＵＥ２０２は次いで、制御情報２７２においてサブチャネル６を報告し、そして制御情報２７２においてサブチャネル３を報告することを控え得る。ＵＥ２０２がＤ２Ｄブロードキャストを受信したサブチャネルの１つまたは複数を報告することに加えて、ＵＥ２０２は、ＵＥ２０２が報告するサブチャネルの各々に対する、決定された信号強度を報告し得る。
【００１６】
[0025]ＵＥ２０４、２０６はまた、ＵＥがＤ２Ｄブロードキャストを受信するサブチャネルおよびその受信されたＤ２Ｄブロードキャストの信号強度を報告する制御情報をブロードキャストし得る。ＵＥ２０４は、ＵＥ２０８からＤ２Ｄブロードキャスト２２２を、そしてＵＥ２１０からＤ２Ｄブロードキャスト２２４を受信する。ＵＥ２０４は、Ｄ２Ｄブロードキャスト２２２、２２４が受信されたサブチャネルと、その受信されたＤ２Ｄブロードキャスト２２２、２２４の各々の信号強度と、を決定する。たとえば、ＵＥ２０４は、Ｄ２Ｄブロードキャスト２２２、２２４がサブチャネル１、５上で受信されたと決定し得る。ＵＥ２０４は、サブチャネル１、５の１つまたは複数と、報告されるサブチャネル上で受信されたＤ２Ｄブロードキャストの対応する信号強度と、を報告する制御情報を構成する。ＵＥ２０４が、サブチャネル１、５の両方と、そのサブチャネル１、５上で受信されたＤ２Ｄブロードキャスト２２２、２２４の信号強度と、を報告すると仮定する。ＵＥ２０４は次いで、Ｄ２Ｄブロードキャスト２５０において制御情報を送信する。ＵＥ２０６は、ＵＥ２１２からＤ２Ｄブロードキャスト２２６を、そしてＵＥ２１４からＤ２Ｄブロードキャスト２２８を受信する。ＵＥ２０６は、Ｄ２Ｄブロードキャスト２２６、２２８が受信されたサブチャネルと、その受信されたＤ２Ｄブロードキャスト２２６、２２８の各々の信号強度と、を決定する。たとえば、ＵＥ２０６は、Ｄ２Ｄブロードキャスト２２６、２２８がサブチャネル７、８上で受信されたと決定し得る。ＵＥ２０６は、サブチャネル７、８の１つまたは複数と、報告されるサブチャネル上で受信されたＤ２Ｄブロードキャストの対応する信号強度と、を報告する制御情報を構成する。ＵＥ２０６が、サブチャネル７、８の両方と、そのサブチャネル７、８上で受信されたＤ２Ｄブロードキャスト２２６、２２８の信号強度と、を報告すると仮定する。ＵＥ２０６は次いで、Ｄ２Ｄブロードキャスト２６０において制御情報を送信する。
【００１７】
[0026]受信されたＤ２Ｄブロードキャスト２５０、２６０において報告された制御情報に基づいて、ＵＥ２０２は、ＵＥ２０４、２０６がサブチャネル１、５、７、８上でＤ２Ｄブロードキャストを受信し、その受信されたＤ２Ｄブロードキャストの信号強度を受信したと決定する。したがって、ＵＥ２０２は、その１ホップネイバーがサブチャネル３、６を利用しており、またその２ホップネイバーがサブチャネル１、５、７、８を利用していると決定する。ＵＥ２０２は次いで、サブチャネル２、４がその１ホップネイバーおよび２ホップネイバーによって利用されていると決定し得る。ＵＥ２０２は、ブロードキャスト２７０において制御情報２７２を送信するために、サブチャネル２、４から１つまたは複数のサブチャネルを選択し得る。この１つまたは複数の選択されたサブチャネルは、隣接していてもよい。たとえば、図２に示すように、ＵＥ２０２は、制御情報２７２を送信するためにサブチャネル４（制御シグナリングサブフレーム２８４のリソース２８６）を選択する。ＵＥ２０２は、ブロードキャスト２７０用のサブチャネルをランダムに選択し得る。したがって、ＵＥ２０２がサブチャネル２を選択する可能性は、ＵＥ２０２がサブチャネル４を選択する可能性に等しい。ＵＥ２０２が制御情報２７２を送信するために２つのサブチャネルを使用している場合、ＵＥ２０２は、制御情報２７２を送信するためにサブチャネル２、４の両方を選択し得る。
【００１８】
[0027]ＵＥ２０２がブロードキャスト２７０用にｘ個のサブチャネルを使用しているが、利用されていないサブチャネルがｙ個のみであり、ここでｙ＜ｘ（たとえば、すべてのサブチャネルが利用されている（ｙ＝０）、利用されていないチャネルが１個のみ（ｙ＝１）、ＵＥ２０２が２個以上のサブチャネルを利用している（ｘ≧２）など）である場合、ＵＥ２０２は、決定された信号強度としきい値との比較に基づいて、ブロードキャスト２７０用にｙ個の利用されていないサブチャネルを選択し得、また、ブロードキャスト２７０用にｘ−ｙ個の利用されているサブチャネルを選択し得る。選択されたｘ個のサブチャネルは、互いに隣接していてもよい。具体的に言うと、ＵＥ２０２は、第１のしきい値よりも低い信号強度を持つ、１ホップネイバーによって利用されるサブチャネルの第１のサブセットと、第２のしきい値よりも低い信号強度を持つ、２ホップネイバーによって利用されるサブチャネルの第２のサブセットと、を決定し得る。第２のしきい値は、第１のしきい値よりも大きくてもよい。サブチャネルの第１のサブセットは、第１のしきい値と、ＵＥ２０２によってその１ホップネイバーから受信されたＤ２Ｄブロードキャストの信号強度と、を比較することによって決定される。サブチャネルの第２のサブセットは、第２のしきい値と、１ホップネイバーによってそれらの１ホップネイバー（ＵＥ２０２に対する２ホップネイバー）から受信されたＤ２Ｄブロードキャストの信号強度と、を比較することによって決定される。それら比較における相違に対処するために、また、ＵＥ２０２によって経験される２ホップネイバーからのＤ２Ｄブロードキャストの有効信号強度が、サブチャネルの第２のサブセットを決定するために使用される信号強度よりも低くなるので、第２のしきい値は、第１のしきい値よりも大きくなるように調節され得る。サブチャネルの第１と第２のサブセットとを決定した後、ＵＥ２０２は、そのサブチャネルの第１および第２のサブセットから、ブロードキャスト２７０用に１つまたは複数のサブチャネルを選択し得る。ＵＥ２０２は、サブチャネルの第１および第２のサブセットからランダムに、ブロードキャスト２７０用に１つまたは複数のサブチャネルを選択し得る。たとえば、ＵＥ２０６は、（ＵＥ２１２から）信号強度Ｓ1を持つサブチャネル７上でＤ２Ｄブロードキャストを、また（ＵＥ２１４から）信号強度Ｓ1を持つサブチャネル８上でＤ２Ｄブロードキャストを受信することを報告し、ＵＥ２０４は、（ＵＥ２０８から）信号強度Ｓ1を持つサブチャネル１、２上で、また（ＵＥ２１０から）信号強度Ｓ2を持つサブチャネル４、５上でＤ２Ｄブロードキャストを受信することを報告すると仮定し、ここでＳ2＜Ｓ1である。したがって、サブチャネルの各々が利用される（すなわちｙ＝０）。ＵＥ２０２は、サブチャネルの第１のサブセットを決定するためにＤ２Ｄブロードキャスト２４０、２５０、２６０の信号強度を第１のしきい値と比較し、またサブチャネルの第２のサブセットを決定するためにＤ２Ｄブロードキャスト２２２、２２４、２２６、２２８の信号強度を第２のしきい値と比較し得る。ＵＥ２０２は、サブチャネル３、６のうち、第１のしきい値よりも小さい対応する信号強度を有するサブチャネルは存在せず、サブチャネル１、２、４、５、７、８のうち、サブチャネル４、５のみが、第２のしきい値よりも小さい対応する信号強度を有すると決定し得る。したがって、ＵＥ２０２は、ブロードキャスト２７０を送るために、サブチャネル４、５から１つまたは複数のサブチャネルを選択し得る。ＵＥ２０２は、サブチャネル４、５から、１つまたは複数のサブチャネルをランダムに選択し得る。
【００１９】
[0028]ＵＥは、他のＵＥへの干渉を低減するために、Ｄ２Ｄブロードキャスト用のサブチャネルを選択するとき、１ホップ近隣情報を利用し得る。上記で説明したように、ＵＥはまた、Ｄ２Ｄブロードキャストに関する干渉をさらに低減するために、２ホップ近隣情報を交換する。Ｄ２Ｄブロードキャスト用のサブチャネルを選択するとき、ＵＥは、その１ホップおよび２ホップ近隣で利用されているサブチャネルを選択することを回避し得る。ＵＥが、利用されているサブチャネル上で送信するように決定するとき、ＵＥは、（信号強度の比較に基づいて）十分に離れているＵＥによって利用されているサブチャネルを選択し、したがってそのＵＥへの干渉を生じないようにし得る。干渉は、さらなるリソースを制御シグナリング（リンクバジェット制御シグナリングとも呼ばれる）専用にすることによって、さらに低減され得る。制御シグナリングにおける干渉を低減するために、ターゲット制御リンクバジェットは、通常の通信リンクバジェットと比較して約１０ｄＢ、増加され得る。ターゲット制御リンクバジェットを増加させて干渉のない受信を促進するために、コーディングレートは、制御シグナリングに対して低減され得、制御シグナリング用のリソースは、余分に設けられ得る。具体的に言うと、追加の連続するサブフレームは、制御シグナリング用に割り振られ得る。たとえば、制御シグナリング用にフレームのセット（たとえば２５フレーム）のうち１つのサブフレームを設けるのではなく、フレームのセットのうち２つ以上の連続するサブフレームが設けられ得る。1つ以上の連続するサブフレームが設けられるとき、変調およびコーディング方式（ＭＣＳ）は、データトラフィックに使用されるＭＣＳと比較して、制御シグナリング用には低減／低下され得る。
【００２０】
[0029]図３は、サブフレーム構造を示す図３００である。フレーム（１０ｍｓ）は、等しいサイズの１０個のサブフレーム３０２に分割され得る。各サブフレームは、複数のサブチャネルを含む。各サブチャネルは、１４個のシングルキャリア周波数分割多元接続（ＳＣ−ＦＤＭＡ）シンボルと、１２個のサブキャリアと、を含む。各サブチャネルは、１８０ｋＨｚにわたり得、したがって各サブキャリアは、１５ｋＨｚにわたり得る。各サブチャネルは、２つの連続するタイムスロットを含み得る。リソースグリッドは、２つのタイムスロットを表すために使用され得、各タイムスロットは、リソースブロックを含む。リソースグリッドは、複数のリソース要素に分割される。リソースブロックは、周波数領域において１２個の連続するサブキャリアと、時間領域において７個の連続するシンボルとを、つまり８４個のリソース要素を含んでいる。リソース要素３０４は、データおよび／または制御情報を含み得る。リソース要素３０６は、基準／パイロット信号を含み得る。各リソース要素によって搬送されるビット数は、ＭＣＳに依存する。
【００２１】
[0030]図４は、Ｄ２Ｄブロードキャスト用のリソースのセットを示す第１の図４００である。図４に示すように、特定のサブフレーム４０２は、制御シグナリング専用にされ得、他のサブフレーム４０４は、データトラフィック専用にされ得る。サブチャネル内の各制御シグナリングサブフレーム４０２は、Ｄ２Ｄブロードキャストにおいて制御情報を送信するために使用され得る。サブチャネル内の各データトラフィックサブフレーム４０４は、Ｄ２Ｄブロードキャストにおいてデータを送信するために使用され得る。
【００２２】
[0031]図５は、Ｄ２Ｄブロードキャスト用のリソースの例示的なセットを示す第２の図５００である。図５に示すように、サブチャネルは、互いに対してシフトされる。ＵＥが互いに同期されていないとき、ＵＥのサブフレームは、整列し得ない。さらに、図５に示すように、ＵＥがフレーム内で制御情報とデータトラフィックとを送信するサブフレームは、異なり得る。
【００２３】
[0032]図６は、ワイヤレス通信の第１の方法のフローチャート６００である。本方法は、ＵＥ２０２などのＵＥによって実行され得る。図６に示すように、ステップ６０２で、ＵＥは、チャネルのサブチャネルのセットにおいて１つまたは複数のＤ２Ｄブロードキャストを受信する。その１つまたは複数のＤ２Ｄブロードキャストは、制御情報を含むブロードキャストの第１のセットと、データトラフィックを含むブロードキャストの第２のセットと、を含み得る。たとえば、図２を参照すると、ＵＥ２０２は、チャネル２７８のサブチャネル３、６のセットにおいてＤ２Ｄブロードキャスト２４０、２５０、２６０を受信する。Ｄ２Ｄブロードキャスト２４０、２５０、２６０は、制御情報を含むブロードキャスト２５０、２６０の第１のセットと、データトラフィックを含むブロードキャスト２４０の第２のセットと、を含む。ステップ６０４で、ＵＥはまた、サブチャネルのセットにおいて受信された１つまたは複数のＤ２Ｄブロードキャストの各々の信号強度を決定し得る。たとえば、図２を参照すると、ＵＥ２０２は、サブチャネル３において受信されたＤ２Ｄブロードキャストの信号強度と、サブチャネル６において受信されたＤ２Ｄブロードキャストの信号強度と、を決定し得る。信号強度は、サブチャネル３、６上のＤ２Ｄブロードキャストの受信された電力に基づいて決定され得る。ステップ６０６で、ＵＥは、報告すべきサブチャネルの最大数Ｎmaxを決定し得る。ＵＥは、報告すべきサブチャネルの最大数Ｎmaxを示す情報を受信し得るか、または、報告すべきサブチャネルの最大数ＮmaxがＵＥに事前構成され得る。ステップ６０８で、ＵＥは、決定された信号強度によって、サブチャネルのセットにおける各サブチャネルをランク付けし得る。ステップ６１０で、ＵＥは、チャネルの少なくとも１つのサブチャネルにおいて、サブチャネルのセットのサブセットを示す制御情報をブロードキャストする。一構成では、サブチャネルのセットのサブセットは、サブチャネルのセットにおけるすべてのサブチャネルを含む。そのような構成では、ＵＥは、ステップ６０６、６０８を実行しなくてもよい。別の構成では、サブチャネルのセットのサブセットは、サブチャネルのセットにおけるすべてには満たないサブチャネルを含む。そのような構成では、ＵＥは、ステップ６０６、６０８を実行し、サブチャネルのセットのサブセットは、上位Ｎ位にランク付けされたサブチャネル（すなわち、最高の信号強度を持つＮ個のサブチャネル）を含み得、Ｎは最大数Ｎmaxよりも小さいかまたはそれに等しい。ステップ６１０で、ブロードキャストされる制御情報は、サブチャネルのセットのサブセットにおける各サブチャネルごとの、決定された信号強度をさらに含み得る。
【００２４】
[0033]少なくとも１つのサブチャネルにおけるブロードキャストは、制御情報を含む、チャネルにおける他のブロードキャストと時間的に一致し得、また少なくとも１つのサブチャネルにおけるブロードキャストは、フレームのセット（たとえば２５フレーム）のｎ個の連続するサブフレーム内に１つまたは複数のリソースブロックを含み得る。一構成では、ｎは１に等しい。別の構成では、ｎは２よりも大きいかまたはそれに等しい。制御情報を含むブロードキャストは、データトラフィックを含むブロードキャストよりも低いＭＣＳを有し得る。
【００２５】
[0034]図７は、ワイヤレス通信の第２の方法のフローチャート７００である。本方法は、ＵＥ２０２などのＵＥによって実行され得る。図７に示すように、ステップ７０２で、ＵＥは、受信されたＤ２Ｄブロードキャストにおいて報告された情報に基づいて、サブチャネルの第２のセットを、そしてそのサブチャネルの第２のセットにおける各サブチャネルごとに信号強度を、決定する。たとえば、図２を参照すると、ＵＥ２０２は、受信されたＤ２Ｄブロードキャストにおいて報告された情報に基づいて、サブチャネル１、５、７、８の第２のセットを、そしてそのサブチャネル１、５、７、８の第２のセットにおける各サブチャネルごとに信号強度を、決定し得る。ステップ７０４で、ＵＥは、Ｄ２Ｄブロードキャストがステップ６０２において受信されたサブチャネルのセットとサブチャネルの第２のセットとを除く、チャネルのサブチャネルの第３のセットを決定する。たとえば、図２を参照すると、ＵＥ２０２は、サブチャネル３、６のセットとサブチャネル１、５、７、８の第２のセットとを除く、チャネル２７８のサブチャネル２、４の第３のセットを決定し得る。ステップ７０６で、ＵＥは、サブチャネルの第３のセットから、少なくとも１つのサブチャネルを選択する。選択される少なくとも１つのサブチャネルは、隣接していてもよい。ＵＥは、サブチャネルの第３のセットからランダムに、少なくとも１つのサブチャネルを選択し得る。たとえば、図２を参照すると、ＵＥ２０２は、サブチャネル２、４の第３のセットから、サブチャネル４を選択し得る。
【００２６】
[0035]図８は、ワイヤレス通信の第３の方法のフローチャート８００である。本方法は、ＵＥ２０２などのＵＥによって実行され得る。図８に示すように、ステップ８０２で、ＵＥは、受信されたＤ２Ｄブロードキャストにおいて報告された情報に基づいて、サブチャネルの第２のセットを、そしてそのサブチャネルの第２のセットにおける各サブチャネルごとに信号強度を、決定する。たとえば、図２を参照すると、ＵＥ２０２は、受信されたＤ２Ｄブロードキャストにおいて報告された情報に基づいて、サブチャネル１、２、４、５、７、８の第２のセットを、そしてそのサブチャネル１、２、４、５、７、８の第２のセットにおける各サブチャネルごとに信号強度を、決定し得る。ステップ８０４で、ＵＥは、第１のしきい値よりも小さい対応する信号強度を有するサブチャネルのセットのうちのサブチャネルの第１のサブセットを決定する。たとえば、図２を参照すると、ＵＥ２０２は、第１のしきい値よりも小さい対応する信号強度を有するサブチャネル３、６のセットうちのサブチャネルの第１のサブセットを決定し得る。サブチャネルの第１のサブセットは、（サブチャネル３および６上で受信されるＤ２Ｄブロードキャストがそれぞれ、第１のしきい値よりも大きいかまたはそれに等しい信号強度を有する場合）空集合によるものであってもよく、あるいはサブチャネル３および６の１つまたは複数を含んでもよい。ステップ８０６で、ＵＥは、第２のしきい値よりも小さい対応する信号強度を有するサブチャネルの第２のセットのうちのサブチャネルの第２のサブセットを決定する。たとえば、図２および図２に関する説明を参照すると、ＵＥ２０２は、第２のしきい値よりも小さい対応する信号強度を有するサブチャネル１、２、４、５、７、８の第２のセットのうちのサブチャネル４、５の第２のサブセットを決定し得る。ステップ８０８で、ＵＥは、サブチャネルの第１のサブセットおよびサブチャネルの第２のサブセットから、少なくとも１つのサブチャネルを選択する。たとえば、図２を参照すると、サブチャネルの第１のサブセットが空集合である場合、ＵＥ２０２は、サブチャネル４、５の第２のサブセットから、少なくとも１つのサブチャネルを選択し得る。ＵＥは、サブチャネルの決定された第１および第２のサブセットからランダムに、少なくとも１つのサブチャネルを選択し得る。たとえば、図２を参照すると、サブチャネルの第１のサブセットが空集合である場合、ＵＥ２０２は、サブチャネル４、５の第２のサブセットからランダムに、少なくとも１つのサブチャネルを選択し得る。
【００２７】
[0036]図９は、例示的な装置９０２における種々のモジュール／手段／構成要素の間のデータフローを示す概念データフロー図９００である。この装置は、ＵＥ９３０のセットからチャネルのサブチャネルのセットにおいて１つまたは複数のＤ２Ｄブロードキャストを受信するように構成された受信モジュール９０４を含み得る。この装置は、チャネルの少なくとも１つのサブチャネルにおいて、サブチャネルのセットのサブセットを示す情報をＵＥ９４０のセットへブロードキャストするように構成された送信モジュール９０６をさらに含み得る。１つまたは複数のＤ２Ｄブロードキャストは、制御情報を含むブロードキャストの第１のセットと、データトラフィックを含むブロードキャストの第２のセットと、を含み得る。ブロードキャストされる情報は、制御情報であり得る。サブチャネルのセットのサブセットは、サブチャネルのセットにおけるすべてのサブチャネルを含み得る。この装置は、サブチャネルのセットにおいて受信された１つまたは複数のＤ２Ｄブロードキャストの各々の信号強度を決定するように構成された信号強度決定モジュール９０８をさらに含み得る。ブロードキャストされる情報は、サブチャネルのセットのサブセットにおける各サブチャネルごとの、決定された信号強度をさらに含み得る。この装置はさらに、報告すべきサブチャネルの最大数Ｎmaxを決定するように、そして決定された信号強度によってサブチャネルのセットにおける各サブチャネルをランク付けするように構成されたサブチャネル処理および選択モジュール９１０を含み得る。サブチャネルのセットのサブセットは、上位Ｎ位にランク付けされたサブチャネルを含み得、Ｎは最大数Ｎmaxよりも小さいかまたはそれに等しい。サブチャネル処理および選択モジュール９１０はさらに、受信されたＤ２Ｄブロードキャストにおいて報告された情報に基づいて、サブチャネルの第２のセットを、そしてそのサブチャネルの第２のセットにおける各サブチャネルごとに信号強度を、決定するように、サブチャネルのセットとサブチャネルの第２のセットを除く、チャネルのサブチャネルの第３のセットを決定するように、およびそのサブチャネルの第３のセットから少なくとも１つのサブチャネルを選択するように、構成され得る。少なくとも１つのサブチャネルは、サブチャネルの第３のセットからランダムに選択され得る。サブチャネル処理および選択モジュール９１０はさらに、受信されたＤ２Ｄブロードキャストにおいて報告された情報に基づいて、サブチャネルの第２のセットを、そしてそのサブチャネルの第２のセットにおける各サブチャネルごとに信号強度を、決定するように、第１のしきい値よりも小さい対応する信号強度を有するサブチャネルのセットのうちのサブチャネルの第１のサブセットを決定するように、第２のしきい値よりも小さい対応する信号強度を有するサブチャネルの第２のセットのうちのサブチャネルの第２のサブセットを決定するように、およびサブチャネルの第１のサブセットおよびサブチャネルの第２のサブセットから少なくとも１つのサブチャネルを選択するように、構成され得る。少なくとも１つのサブチャネルは、サブチャネルの決定された第１および第２のサブセットからランダムに選択され得る。少なくとも１つのサブチャネルにおけるブロードキャストは、制御情報を含む、チャネルにおける他のブロードキャストと時間的に一致し得、および、少なくとも１つのサブチャネルにおけるブロードキャストは、フレームのセットのｎ個の連続するサブフレーム内に１つまたは複数のリソースブロックを含み得る。一構成では、ｎは１に等しい。別の構成では、ｎは２よりも大きいかまたはそれに等しい。制御情報を含むブロードキャストは、データトラフィックを含むブロードキャストよりも低いＭＣＳを有し得る。
【００２８】
[0037]本装置は、図６〜８の上述のフローチャート中のアルゴリズムのステップの各々を実行する追加のモジュールを含み得る。したがって、図６〜８の上述のフローチャート中の各ステップは、１つのモジュールによって実行され得、本装置は、それらのモジュールのうちの１つまたは複数を含み得る。それらのモジュールは、述べられたプロセス／アルゴリズムを実行するように特に構成された１つまたは複数のハードウェアコンポーネントであるか、述べられたプロセス／アルゴリズムを実行するように構成されたプロセッサによって実装されるか、プロセッサによる実装のためにコンピュータ可読媒体内に記憶されるか、またはそれらの何らかの組合せであり得る。
【００２９】
[0038]図１０は、処理システム１０１４を用いる装置９０２’のためのハードウェア実装の一例を示す図１０００である。処理システム１０１４は、バス１０２４によって概略的に表されるバスアーキテクチャを用いて実装され得る。バス１０２４は、処理システム１０１４の特定のアプリケーションおよび全体的な設計制約に応じて、任意の数の相互接続バスおよびブリッジを含み得る。バス１０２４は、プロセッサ１００４によって表される１つもしくは複数のプロセッサおよび／またはハードウェアモジュールと、モジュール９０４、９０６、９０８、９１０と、コンピュータ可読媒体／メモリ１００６とを含む様々な回路を互いにリンクする。バス１０２４はまた、タイミングソース、周辺機器、電圧調整器、および電力管理回路など、様々な他の回路をリンクし得るが、これらの回路は当技術分野においてよく知られており、したがって、これ以上は説明されない。処理システム１０１４は、トランシーバ１０１０に結合され得る。トランシーバ１０１０は、１つまたは複数のアンテナ１０２０に結合される。トランシーバ１０１０は、伝送媒体を介して様々な他の装置と通信するための手段を与える。トランシーバ１０１０は、１つまたは複数のアンテナ１０２０から信号を受信し、受信された信号から情報を抽出し、抽出された情報を処理システム１０１４に与える。さらに、トランシーバ１０１０は、処理システム１０１４から情報を受信し、受信された情報に基づいて、１つまたは複数のアンテナ１０２０に適用されるべき信号を生成する。処理システム１０１４は、コンピュータ可読媒体／メモリ１００６に結合されたプロセッサ１００４を含む。プロセッサ１００４は、コンピュータ可読媒体／メモリ１００６に記憶されたソフトウェアの実行を含む一般的な処理を担当する。ソフトウェアは、プロセッサ１００４によって実行されたとき、処理システム１０１４に、任意の特定の装置のための上記で説明した様々な機能を実行させる。コンピュータ可読媒体／メモリ１００６はまた、ソフトウェアを実行するときにプロセッサ１００４によって操作されるデータを記憶するために使用され得る。処理システムは、モジュール９０４、９０６、９０８、９１０のうちの少なくとも１つをさらに含む。それらのモジュールは、プロセッサ１００４中で動作するか、コンピュータ可読媒体／メモリ１００６中に常駐する／記憶されたソフトウェアモジュールであるか、プロセッサ１００４に結合された１つもしくは複数のハードウェアモジュールであるか、またはそれらの何らかの組合せであり得る。
【００３０】
[0039]一構成では、この装置９０２／９０２’は、チャネルのサブチャネルのセットにおいて、１つまたは複数のデバイス対デバイス（Ｄ２Ｄ）ブロードキャストを受信するための手段と、そのチャネルの少なくとも１つのサブチャネルにおいて、サブチャネルのセットのサブセットを示す情報をブロードキャストするための手段と、を含む。この装置は、サブチャネルのセットにおいて受信された１つまたは複数のＤ２Ｄブロードキャストの各々の信号強度を決定するための手段をさらに含み得る。ブロードキャストするための手段は、サブチャネルのセットのサブセットにおける各サブチャネルごとの、決定された信号強度を持つ情報をブロードキャストするように構成され得る。この装置は、報告すべきサブチャネルの最大数Ｎmaxを決定するための手段と、決定された信号強度によってサブチャネルのセットにおける各サブチャネルをランク付けするための手段と、をさらに含み得る。サブチャネルのセットのサブセットは、上位Ｎ位にランク付けされたサブチャネルを含み得、Ｎは最大数Ｎmaxよりも小さいかまたはそれに等しい。この装置は、受信されたＤ２Ｄブロードキャストにおいて報告された情報に基づいて、サブチャネルの第２のセットを、そしてそのサブチャネルの第２のセットにおける各サブチャネルごとに信号強度を、決定するための手段と、サブチャネルのセットとサブチャネルの第２のセットとを除く、チャネルのサブチャネルの第３のセットを決定するための手段と、そのサブチャネルの第３のセットから少なくとも１つのサブチャネルを選択するための手段と、をさらに含み得る。この装置は、受信されたＤ２Ｄブロードキャストにおいて報告された情報に基づいて、サブチャネルの第２のセットを、そしてそのサブチャネルの第２のセットにおける各サブチャネルごとに信号強度を、決定するための手段と、第１のしきい値よりも小さい対応する信号強度を有するサブチャネルのセットのうちのサブチャネルの第１のサブセットを決定するための手段と、第２のしきい値よりも小さい対応する信号強度を有するサブチャネルの第２のセットのうちのサブチャネルの第２のサブセットを決定するための手段と、サブチャネルの第１のサブセットおよびサブチャネルの第２のサブセットから少なくとも１つのサブチャネルを選択するための手段と、をさらに含み得る。上述の手段は、上述の手段によって挙げられた機能を実行するように構成された、装置９０２の上述のモジュールおよび／または装置９０２’の処理システム１０１４のうちの１つまたは複数であり得る。
【００３１】
[0040]開示されるプロセス中のステップの特定の順序または階層は、例示的な手法の一例であることを理解されたい。設計上の選好に基づいて、プロセスにおけるステップの特定の順序または階層は再構成され得ることを理解されたい。さらに、いくつかのステップは、組み合わされてもよく、省略されてもよい。添付の方法クレームは、見本の順序における様々なステップの要素を提示しており、提示された特定の順序または階層に限定されることを意味するものではない。
【００３２】
[0041]以上の説明は、当業者が本明細書で説明された様々な態様を実施することができるように提供されている。これらの態様に対する様々な変更は、当業者には容易に明らかであり、本明細書で定義された一般原理は、他の態様に適用され得る。したがって、特許請求の範囲は、本明細書に示された態様に限定されるべきものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。「例示的」という単語は、本明細書では「例、事例、または例示として機能すること」を意味するために使用される。本明細書において「例示的」として説明されている何らかの態様は、必ずしも他の態様よりも好ましい、または他の態様よりも有利な態様として解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、且つ、複数のＡ、複数のＢ、または複数のＣを含み得る。具体的に言うと、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、そのようないかなる組合せも、Ａ、Ｂ、またはＣのうちの１つまたは複数の構成要素を包含し得る。当業者に知られているかまたは後に知られることになる、本開示の全体を通じて記述された様々な態様の要素に対するすべての構造的および機能的等価物は、参照によって本明細書に明確に組み込まれ、および特許請求の範囲によって網羅されることが意図される。その上、本明細書で開示されたいかなることも、そのような開示が特許請求の範囲に明示的に挙げられているかどうかにかかわらず、公に供するものではない。いかなるクレーム要素も、その要素が「ための手段」という語句を使用して明確に挙げられていない限り、ミーンズプラスファンクションとして解釈されるべきではない。
【図１】
2016538795.tif 000003
【図２】
2016538795.tif 000004
【図３】
2016538795.tif 000005
【図４】
2016538795.tif 000006
【図５】
2016538795.tif 000007
【図６】
2016538795.tif 000008
【図７】
2016538795.tif 000009
【図８】
2016538795.tif 000010
【図９】
2016538795.tif 000011
【図１０】
2016538795.tif 000012
【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
チャネルのサブチャネルのセットにおいて１つまたは複数のデバイス対デバイス（Ｄ２Ｄ）ブロードキャストを受信することと、および
前記１つまたは複数のＤ２Ｄブロードキャストが受信されたサブチャネルの前記セットのサブセットを示す情報を、前記チャネルの少なくとも１つのサブチャネルにおいてブロードキャストすることと、
を備える方法。
【請求項２】
前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、請求項１に記載の方法。
【請求項３】
サブチャネルの前記セットの前記サブセットは、サブチャネルの前記セットにおける前記サブチャネルのすべてを含む、請求項１に記載の方法。
【請求項４】
サブチャネルの前記セットにおいて受信された前記１つまたは複数のＤ２Ｄブロードキャストの各々の信号強度を決定することをさらに備え、ここにおいて、前記ブロードキャストされる情報は、サブチャネルの前記セットの前記サブセットにおける各サブチャネルごとに前記決定された信号強度をさらに含む、請求項１に記載の方法。
【請求項５】
報告すべきサブチャネルの最大数Ｎmaxを決定することと、および
前記決定された信号強度によって、サブチャネルの前記セットにおける各サブチャネルをランク付けすることと、
をさらに備え、
ここにおいて、サブチャネルの前記セットの前記サブセットは、上位Ｎ位にランク付けされたサブチャネルを含み、Ｎは前記最大数Ｎmaxよりも小さいかまたはそれに等しい、
請求項４に記載の方法。
【請求項６】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定することと、
サブチャネルの前記セットとサブチャネルの前記第２のセットとを除く、前記チャネルのサブチャネルの第３のセットを決定することと、および
サブチャネルの前記第３のセットから、前記少なくとも１つのサブチャネルを選択することと、
をさらに備える、請求項４に記載の方法。
【請求項７】
前記少なくとも１つのサブチャネルは、サブチャネルの前記第３のセットからランダムに選択される、請求項６に記載の方法。
【請求項８】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定することと、
第１のしきい値よりも小さい対応する信号強度を有するサブチャネルの前記セットうちのサブチャネルの第１のサブセットを決定することと、
第２のしきい値よりも小さい対応する信号強度を有するサブチャネルの前記第２のセットのうちのサブチャネルの第２のサブセットを決定することと、および
サブチャネルの前記第１のサブセットおよびサブチャネルの前記第２のサブセットから、前記少なくとも１つのサブチャネルを選択することと、
をさらに備える、請求項４に記載の方法。
【請求項９】
前記少なくとも１つのサブチャネルは、サブチャネルの前記決定された第１および第２のサブセットからランダムに選択される、請求項８に記載の方法。
【請求項１０】
前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、請求項２に記載の方法。
【請求項１１】
ｎは、１に等しい、請求項１０に記載の方法。
【請求項１２】
ｎは、２よりも大きいかまたはそれに等しい、請求項１０に記載の方法。
【請求項１３】
制御情報を備える前記ブロードキャストは、データトラフィックを備えるブロードキャストよりも低い変調およびコーティング方式（ＭＣＳ）を有する、請求項２に記載の方法。
【請求項１４】
ワイヤレス通信のための装置であって、
チャネルのサブチャネルのセットにおいて１つまたは複数のデバイス対デバイス（Ｄ２Ｄ）ブロードキャストを受信するための手段と、および
前記１つまたは複数のＤ２Ｄブロードキャストが受信されたサブチャネルの前記セットのサブセットを示す情報を、前記チャネルの少なくとも１つのサブチャネルにおいてブロードキャストするための手段と、
を備える装置。
【請求項１５】
前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、請求項１４に記載の装置。
【請求項１６】
サブチャネルの前記セットの前記サブセットは、サブチャネルの前記セットにおける前記サブチャネルのすべてを含む、請求項１４に記載の装置。
【請求項１７】
サブチャネルの前記セットにおいて受信された前記１つまたは複数のＤ２Ｄブロードキャストの各々の信号強度を決定するための手段をさらに備え、ここにおいて、前記ブロードキャストされる情報は、サブチャネルの前記セットの前記サブセットにおける各サブチャネルごとに前記決定された信号強度をさらに含む、請求項１４に記載の装置。
【請求項１８】
報告すべきサブチャネルの最大数Ｎmaxを決定するための手段と、および
前記決定された信号強度によって、サブチャネルの前記セットにおける各サブチャネルをランク付けするための手段と、
をさらに備え、
ここにおいて、サブチャネルの前記セットの前記サブセットは、上位Ｎ位にランク付けされたサブチャネルを含み、Ｎは前記最大数Ｎmaxよりも小さいかまたはそれに等しい、
請求項１７に記載の装置。
【請求項１９】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定するための手段と、
サブチャネルの前記セットとサブチャネルの前記第２のセットとを除く、前記チャネルのサブチャネルの第３のセットを決定するための手段と、および
サブチャネルの前記第３のセットから前記少なくとも１つのサブチャネルを選択するための手段と、
をさらに備える、請求項１７に記載の装置。
【請求項２０】
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定するための手段と、
第１のしきい値よりも小さい対応する信号強度を有するサブチャネルの前記セットうちのサブチャネルの第１のサブセットを決定するための手段と、
第２のしきい値よりも小さい対応する信号強度を有するサブチャネルの前記第２のセットのうちのサブチャネルの第２のサブセットを決定するための手段と、および
サブチャネルの前記第１のサブセットおよびサブチャネルの前記第２のサブセットから、前記少なくとも１つのサブチャネルを選択するための手段と、
をさらに備える、請求項１７に記載の装置。
【請求項２１】
前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、請求項１５に記載の装置。
【請求項２２】
ワイヤレス通信のための装置であって、
メモリと、および
前記メモリに結合された少なくとも１つのプロセッサであって、
チャネルのサブチャネルのセットにおいて１つまたは複数のデバイス対デバイス（Ｄ２Ｄ）ブロードキャストを受信し、および
前記１つまたは複数のＤ２Ｄブロードキャストが受信されたサブチャネルの前記セットのサブセットを示す情報を、前記チャネルの少なくとも１つのサブチャネルにおいてブロードキャストする、
ように構成されたプロセッサと、
を備える装置。
【請求項２３】
前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、請求項２２に記載の装置。
【請求項２４】
サブチャネルの前記セットの前記サブセットは、サブチャネルの前記セットにおける前記サブチャネルのすべてを含む、請求項２２に記載の装置。
【請求項２５】
前記少なくとも１つのプロセッサは、サブチャネルの前記セットにおいて受信された前記１つまたは複数のＤ２Ｄブロードキャストの各々の信号強度を決定するようにさらに構成され、ここにおいて、前記ブロードキャストされる情報は、サブチャネルの前記セットの前記サブセットにおける各サブチャネルごとに前記決定された信号強度をさらに含む、請求項２２に記載の装置。
【請求項２６】
前記少なくとも１つのプロセッサは、
報告すべきサブチャネルの最大数Ｎmaxを決定し、および
前記決定された信号強度によって、サブチャネルの前記セットにおける各サブチャネルをランク付けする、
ようにさらに構成され、
ここにおいて、サブチャネルの前記セットの前記サブセットは、上位Ｎ位にランク付けされたサブチャネルを含み、Ｎは前記最大数Ｎmaxよりも小さいかまたはそれに等しい、
請求項２５に記載の装置。
【請求項２７】
前記少なくとも１つのプロセッサは、
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定し、
サブチャネルの前記セットとサブチャネルの前記第２のセットとを除く、前記チャネルのサブチャネルの第３のセットを決定し、および
サブチャネルの前記第３のセットから、前記少なくとも１つのサブチャネルを選択する、
ようにさらに構成される、
請求項２５に記載の装置。
【請求項２８】
前記少なくとも１つのプロセッサは、
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定し、
第１のしきい値よりも小さい対応する信号強度を有するサブチャネルの前記セットうちのサブチャネルの第１のサブセットを決定し、
第２のしきい値よりも小さい対応する信号強度を有するサブチャネルの前記第２のセットうちのサブチャネルの第２のサブセットを決定し、および
サブチャネルの前記第１のサブセットおよびサブチャネルの前記第２のサブセットから、前記少なくとも１つのサブチャネルを選択する、
ようにさらに構成される、
請求項２５に記載の装置。
【請求項２９】
前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、請求項２３に記載の装置。
【請求項３０】
ワイヤレス通信のためのコンピュータ実行可能コードを記憶するコンピュータ可読媒体であって、
チャネルのサブチャネルのセットにおいて１つまたは複数のデバイス対デバイス（Ｄ２Ｄ）ブロードキャストを受信し、および
前記１つまたは複数のＤ２Ｄブロードキャストが受信されたサブチャネルの前記セットのサブセットを示す情報を、前記チャネルの少なくとも１つのサブチャネルにおいてブロードキャストする、
ためのコードを備える、
コンピュータ可読媒体。
【手続補正２】
【補正対象書類名】明細書
【補正対象項目名】００３２
【補正方法】変更
【補正の内容】
【００３２】
[0041]以上の説明は、当業者が本明細書で説明された様々な態様を実施することができるように提供されている。これらの態様に対する様々な変更は、当業者には容易に明らかであり、本明細書で定義された一般原理は、他の態様に適用され得る。したがって、特許請求の範囲は、本明細書に示された態様に限定されるべきものではなく、クレーム文言に矛盾しない全範囲を与えられるべきであり、ここにおいて、単数形の要素への言及は、そのように別段に明記されていない限り、「唯一無二の」を意味するものではなく、「１つまたは複数の」を意味するものである。「例示的」という単語は、本明細書では「例、事例、または例示として機能すること」を意味するために使用される。本明細書において「例示的」として説明されている何らかの態様は、必ずしも他の態様よりも好ましい、または他の態様よりも有利な態様として解釈されるべきであるとは限らない。別段に明記されていない限り、「いくつか」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、且つ、複数のＡ、複数のＢ、または複数のＣを含み得る。具体的に言うと、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、そのようないかなる組合せも、Ａ、Ｂ、またはＣのうちの１つまたは複数の構成要素を包含し得る。当業者に知られているかまたは後に知られることになる、本開示の全体を通じて記述された様々な態様の要素に対するすべての構造的および機能的等価物は、参照によって本明細書に明確に組み込まれ、および特許請求の範囲によって網羅されることが意図される。その上、本明細書で開示されたいかなることも、そのような開示が特許請求の範囲に明示的に挙げられているかどうかにかかわらず、公に供するものではない。いかなるクレーム要素も、その要素が「ための手段」という語句を使用して明確に挙げられていない限り、ミーンズプラスファンクションとして解釈されるべきではない。
以下に、本願出願の当初の特許請求の範囲に記載された発明を付記する。
（１）  ワイヤレス通信の方法であって、
チャネルのサブチャネルのセットにおいて１つまたは複数のデバイス対デバイス（Ｄ２Ｄ）ブロードキャストを受信することと、および
サブチャネルの前記セットのサブセットを示す情報を、前記チャネルの少なくとも１つのサブチャネルにおいてブロードキャストすることと、
を備える方法。
（２）  前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、（１）に記載の方法。
（３）  サブチャネルの前記セットの前記サブセットは、サブチャネルの前記セットにおける前記サブチャネルのすべてを含む、（１）に記載の方法。
（４）  サブチャネルの前記セットにおいて受信された前記１つまたは複数のＤ２Ｄブロードキャストの各々の信号強度を決定することをさらに備え、ここにおいて、前記ブロードキャストされる情報は、サブチャネルの前記セットの前記サブセットにおける各サブチャネルごとに前記決定された信号強度をさらに含む、（１）に記載の方法。
（５）  報告すべきサブチャネルの最大数Ｎmaxを決定することと、および
前記決定された信号強度によって、サブチャネルの前記セットにおける各サブチャネルをランク付けすることと、
をさらに備え、
ここにおいて、サブチャネルの前記セットの前記サブセットは、上位Ｎ位にランク付けされたサブチャネルを含み、Ｎは前記最大数Ｎmaxよりも小さいかまたはそれに等しい、
（４）に記載の方法。
（６）  前記受信されたＤ２Ｄブロードキャストにおいて報告された情報に基づいて、サブチャネルの第２のセットを、そしてサブチャネルの前記第２のセットにおける各サブチャネルごとに前記信号強度を、決定することと、
サブチャネルの前記セットとサブチャネルの前記第２のセットとを除く、前記チャネルのサブチャネルの第３のセットを決定することと、および
サブチャネルの前記第３のセットから、前記少なくとも１つのサブチャネルを選択することと、
をさらに備える、（４）に記載の方法。
（７）  前記少なくとも１つのサブチャネルは、サブチャネルの前記第３のセットからランダムに選択される、（６）に記載の方法。
（８）  前記受信されたＤ２Ｄブロードキャストにおいて報告された情報に基づいて、サブチャネルの第２のセットを、そしてサブチャネルの前記第２のセットにおける各サブチャネルごとに前記信号強度を、決定することと、
第１のしきい値よりも小さい対応する信号強度を有するサブチャネルの前記セットうちのサブチャネルの第１のサブセットを決定することと、
第２のしきい値よりも小さい対応する信号強度を有するサブチャネルの前記第２のセットのうちのサブチャネルの第２のサブセットを決定することと、および
サブチャネルの前記第１のサブセットおよびサブチャネルの前記第２のサブセットから、前記少なくとも１つのサブチャネルを選択することと、
をさらに備える、（４）に記載の方法。
（９）  前記少なくとも１つのサブチャネルは、サブチャネルの前記決定された第１および第２のサブセットからランダムに選択される、（８）に記載の方法。
（１０）  前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、（２）に記載の方法。
（１１）  ｎは、１に等しい、（１０）に記載の方法。
（１２）  ｎは、２よりも大きいかまたはそれに等しい、（１０）に記載の方法。
（１３）  制御情報を備える前記ブロードキャストは、データトラフィックを備えるブロードキャストよりも低い変調およびコーティング方式（ＭＣＳ）を有する、（２）に記載の方法。
（１４）  ワイヤレス通信のための装置であって、
チャネルのサブチャネルのセットにおいて１つまたは複数のデバイス対デバイス（Ｄ２Ｄ）ブロードキャストを受信するための手段と、および
サブチャネルの前記セットのサブセットを示す情報を、前記チャネルの少なくとも１つのサブチャネルにおいてブロードキャストするための手段と、
を備える装置。
（１５）  前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、（１４）に記載の装置。
（１６）  サブチャネルの前記セットの前記サブセットは、サブチャネルの前記セットにおける前記サブチャネルのすべてを含む、（１４）に記載の装置。
（１７）  サブチャネルの前記セットにおいて受信された前記１つまたは複数のＤ２Ｄブロードキャストの各々の信号強度を決定するための手段をさらに備え、ここにおいて、前記ブロードキャストされる情報は、サブチャネルの前記セットの前記サブセットにおける各サブチャネルごとに前記決定された信号強度をさらに含む、（１４）に記載の装置。
（１８）  報告すべきサブチャネルの最大数Ｎmaxを決定するための手段と、および
前記決定された信号強度によって、サブチャネルの前記セットにおける各サブチャネルをランク付けするための手段と、
をさらに備え、
ここにおいて、サブチャネルの前記セットの前記サブセットは、上位Ｎ位にランク付けされたサブチャネルを含み、Ｎは前記最大数Ｎmaxよりも小さいかまたはそれに等しい、
（１７）に記載の装置。
（１９）  前記受信されたＤ２Ｄブロードキャストにおいて報告された情報に基づいて、サブチャネルの第２のセットを、そしてサブチャネルの前記第２のセットにおける各サブチャネルごとに前記信号強度を、決定するための手段と、
サブチャネルの前記セットとサブチャネルの前記第２のセットとを除く、前記チャネルのサブチャネルの第３のセットを決定するための手段と、および
サブチャネルの前記第３のセットから前記少なくとも１つのサブチャネルを選択するための手段と、
をさらに備える、（１７）に記載の装置。
（２０）  前記受信されたＤ２Ｄブロードキャストにおいて報告された情報に基づいて、サブチャネルの第２のセットを、そしてサブチャネルの前記第２のセットにおける各サブチャネルごとに前記信号強度を、決定するための手段と、
第１のしきい値よりも小さい対応する信号強度を有するサブチャネルの前記セットうちのサブチャネルの第１のサブセットを決定するための手段と、
第２のしきい値よりも小さい対応する信号強度を有するサブチャネルの前記第２のセットのうちのサブチャネルの第２のサブセットを決定するための手段と、および
サブチャネルの前記第１のサブセットおよびサブチャネルの前記第２のサブセットから、前記少なくとも１つのサブチャネルを選択するための手段と、
をさらに備える、（１７）に記載の装置。
（２１）  前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、（１５）に記載の装置。
（２２）  ワイヤレス通信のための装置であって、
メモリと、および
前記メモリに結合された少なくとも１つのプロセッサであって、
チャネルのサブチャネルのセットにおいて１つまたは複数のデバイス対デバイス（Ｄ２Ｄ）ブロードキャストを受信し、および
サブチャネルの前記セットのサブセットを示す情報を、前記チャネルの少なくとも１つのサブチャネルにおいてブロードキャストする、
ように構成されたプロセッサと、
を備える装置。
（２３）  前記１つまたは複数のＤ２Ｄブロードキャストは、制御情報を備えるブロードキャストの第１のセットと、データトラフィックを備えるブロードキャストの第２のセットと、を含み、ここにおいて、前記ブロードキャストされる情報は、制御情報である、（２２）に記載の装置。
（２４）  サブチャネルの前記セットの前記サブセットは、サブチャネルの前記セットにおける前記サブチャネルのすべてを含む、（２２）に記載の装置。
（２５）  前記少なくとも１つのプロセッサは、サブチャネルの前記セットにおいて受信された前記１つまたは複数のＤ２Ｄブロードキャストの各々の信号強度を決定するようにさらに構成され、ここにおいて、前記ブロードキャストされる情報は、サブチャネルの前記セットの前記サブセットにおける各サブチャネルごとに前記決定された信号強度をさらに含む、（２２）に記載の装置。
（２６）  前記少なくとも１つのプロセッサは、
報告すべきサブチャネルの最大数Ｎmaxを決定し、および
前記決定された信号強度によって、サブチャネルの前記セットにおける各サブチャネルをランク付けする、
ようにさらに構成され、
ここにおいて、サブチャネルの前記セットの前記サブセットは、上位Ｎ位にランク付けされたサブチャネルを含み、Ｎは前記最大数Ｎmaxよりも小さいかまたはそれに等しい、
（２５）に記載の装置。
（２７）  前記少なくとも１つのプロセッサは、
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定し、
サブチャネルの前記セットとサブチャネルの前記第２のセットとを除く、前記チャネルのサブチャネルの第３のセットを決定し、および
サブチャネルの前記第３のセットから、前記少なくとも１つのサブチャネルを選択する、
ようにさらに構成される、
（２５）に記載の装置。
（２８）  前記少なくとも１つのプロセッサは、
前記受信されたＤ２Ｄブロードキャストにおいて報告された情報に基づいて、サブチャネルの第２のセットを、そしてサブチャネルの前記第２のセットにおける各サブチャネルごとに前記信号強度を、決定し、
第１のしきい値よりも小さい対応する信号強度を有するサブチャネルの前記セットうちのサブチャネルの第１のサブセットを決定し、
第２のしきい値よりも小さい対応する信号強度を有するサブチャネルの前記第２のセットうちのサブチャネルの第２のサブセットを決定し、および
サブチャネルの前記第１のサブセットおよびサブチャネルの前記第２のサブセットから、前記少なくとも１つのサブチャネルを選択する、
ようにさらに構成される、
（２５）に記載の装置。
（２９）  前記少なくとも１つのサブチャネルにおける前記ブロードキャストは、制御情報を備える、前記チャネルにおける他のブロードキャストと時間的に一致し、且つ、前記少なくとも１つのサブチャネルにおける前記ブロードキャストは、フレームのセットのｎ個の連続するサブフレーム内に１つまたは複数のリソースブロックを含む、（２３）に記載の装置。
（３０）  コンピュータ可読媒体に記憶されたコンピュータプログラム製品であって、少なくとも１つのプロセッサ上で実行されたとき、前記少なくとも１つのプロセッサが、
チャネルのサブチャネルのセットにおいて１つまたは複数のデバイス対デバイス（Ｄ２Ｄ）ブロードキャストを受信し、および
サブチャネルの前記セットのサブセットを示す情報を、前記チャネルの少なくとも１つのサブチャネルにおいてブロードキャストする、
ことを引き起こすコードを備える、
コンピュータプログラム製品。
【国際調査報告】
2016538795.tif 000013
2016538795.tif 000014
2016538795.tif 000015